(57)【要約】【課題】ＬＥＤコースターをテーブルに置き、ＬＥＤコースターの上に飲料の入ったコップ等を載せたときに、安定した状態でガタツキがないＬＥＤコースターを提供する。【解決手段】この発明に係るＬＥＤコースターは、上面に物品が置かれる透光性カバーと、透光性カバーの下面に取り付けられる底面カバーと、ＬＥＤが実装されるとともに、ＬＥＤをオン／オフするスイッチが実装される基板と、底面カバーの電池収納部に収納され、ＬＥＤに電力を供給する電池と、底面カバーの底面に取り付けられる二個のゴムパッドと、底面カバーの内側に上下方向に移動可能に取り付けられ、スイッチに対向配置されるスイッチ押圧部を有するスイッチパッドとを備え、二個のゴムパッドとスイッチパッドとは、底面カバーの底面の外周付近に周方向に略等間隔に配置されるとともに、スイッチパッドの直径をＬＥＤコースターの直径の１／２弱としたことを特徴とする。【選択図】図６
2010284345.tif 000002
【特許請求の範囲】
【請求項１】
上面に物品が置かれる透光性カバーと、
前記透光性カバーの下面に取り付けられる底面カバーと、
前記透光性カバーと前記底面カバーとの間に設けられ、前記透光性カバー側の部品面にＬＥＤが実装されるとともに、前記底面カバー側の半田面に前記ＬＥＤをオン／オフするスイッチが実装される基板と、
前記底面カバーの電池収納部に収納され、前記ＬＥＤに電力を供給する電池と、
前記底面カバーの底面に取り付けられる二個のゴムパッドと、
前記底面カバーの内側に上下方向に移動可能に取り付けられ、前記スイッチに対向配置されるスイッチ押圧部を有するスイッチパッドと、を備え、
前記二個のゴムパッドと前記スイッチパッドとは、前記底面カバーの底面の外周付近に周方向に略等間隔に配置されるとともに、前記スイッチパッドの直径を当該ＬＥＤコースターの直径の１／２弱としたことを特徴とするＬＥＤコースター。
【請求項２】
前記基板に実装される前記ＬＥＤは、当該ＬＥＤコースターの略中央部に位置することを特徴とする請求項１記載のＬＥＤコースター。
【請求項３】
前記透光性カバーは、該透光性カバーの略中央部と側面部とに前記ＬＥＤの光が透光する透光部を備えることを特徴とする請求項１又は請求項２記載のＬＥＤコースター。
【請求項４】
前記スイッチパッドの前記スイッチ押圧部は、該スイッチパッドの略中央部に配置されることを特徴とする請求項１乃至３のいずれかに記載のＬＥＤコースター。
【請求項５】
前記スイッチ押圧部を、十字形状としたことを特徴とする請求項４記載のＬＥＤコースター。
【請求項６】
当該ＬＥＤコースターをテーブル等に置かない状態のとき、前記スイッチパッドの前記底面カバーの底面から外側に突出する寸法をｄ１、前記ゴムパッドの前記底面カバーの底面から外側に突出する寸法をｄ２とすると、
ｄ１＞ｄ２
の関係を満たすことを特徴とする請求項１乃至５のいずれかに記載のＬＥＤコースター。
【請求項７】
前記二個のゴムパッドは、前記底面カバーの電池収納部を間に挟んで、略１２０°の間隔で配置されていることを特徴とする請求項１乃至６のいずれかに記載のＬＥＤコースター。
【請求項８】
前記底面カバーの前記電池収納部は、前記底面カバーの内側に凸形状となる凹部で形成され、該電池収納部に前記電池を収納後、該電池収納部は電池カバーで塞がれることを特徴とする請求項１乃至７のいずれかに記載のＬＥＤコースター。
【請求項９】
前記スイッチパッドは、前記底面カバーの裏面に立設している複数個のピンに該スイッチパッドの突出部の孔が案内されて当該ＬＥＤコースターの厚み方向に、移動可能なことを特徴とする請求項項１乃至８のいずれかに記載のＬＥＤコースター。
【発明の詳細な説明】
【技術分野】
【０００１】
この発明は、酒や清涼飲料水などの飲料を入れたグラスなどのコップを受けるコースターに関し、特に飲食を楽しむときの雰囲気を良くするためにコップの底部から照明できるようにしたＬＥＤコースターに関する。
【背景技術】
【０００２】
従来のＬＥＤコースター１１０の一例を、図９乃至図１３を参照しながら説明する。図９は従来のＬＥＤコースター１１０の上面図、図１０は従来のＬＥＤコースター１１０の底面図、図１１は従来のＬＥＤコースター１１０の側面図、図１２は従来のＬＥＤコースター１１０をテーブル等に置いたときの側面図、図１３は従来のＬＥＤコースター１１０をテーブル等に置いて飲料を入れたコップを載せた状態を示す側面図である。
【０００３】
従来のＬＥＤコースター１１０は、上面（コップが載る面）に円形の透光性カバー１０１があり、透光性カバー１０１の上面外周部を覆う上面円周カバー１０２が設けられている。透光性カバー１０１は、全体が透明ではなく、上面の略中央部に透明な透光部１０１ａ、側面に透明な透光部１０１ｂを形成している。この透光部１０１ａ，１０１ｂからＬＥＤ（発光ダイオード）の光が外部に透光する構成である。
【０００４】
ＬＥＤは図示していないが、透光部１０１ａに対向してその内部（裏側）に配置されている。従って、ＬＥＤはＬＥＤコースター１１０の略中央部に位置することになる。ＬＥＤは図示しない基板に実装されている。
【０００５】
ＬＥＤコースター１１０の底面は、円形の底面カバー１０３で構成される。底面カバー１０３の外周付近に、三個のゴムパッド１０５が略等間隔に設けられる。ゴムパッド１０５は、ＬＥＤコースター１１０がテーブル等に置かれた場合に、テーブル等に接触する部分である。
【０００６】
また、底面カバー１０３の中央部から若干離れた位置に、ＬＥＤを点灯させるスイッチパッド１０４が設けられている。前述したように、ＬＥＤがＬＥＤコースター１１０の略中央部に位置するので、スイッチパッド１０４は基板のレイアウトの関係でＬＥＤコースター１１０の中央部から若干離れた位置となる。
【０００７】
また、底面カバー１０３の所定の位置に、長穴状の電池カバー１０６がネジ１０７で締結されている。電池カバー１０６に対向してその内部（裏側）にボタン電池が二個収納されている。ボタン電池は、ＬＥＤの電源となる。
【０００８】
スイッチパッド１０４は、底面カバー１０３に上下方向（ＬＥＤコースター１１０の厚み方向）に移動可能に取り付けられる。透光性カバー１０１が上で、底面カバー１０３が下になるＬＥＤコースター１１０の正規の姿勢（状態）で、スイッチパッド１０４の鍔が底面カバー１０３の円形の穴の段差部（図示せず）に載置される。この状態では、基板のスイッチとスイッチパッド１０４との間には、隙間（遊び）がある。
【０００９】
ＬＥＤコースター１１０の正規の姿勢（状態）で、ＬＥＤコースター１１０がテーブル等に置かれていないときは、図１１に示すように、ゴムパッド１０５の底面カバー１０３から突出する高さｈ１と、スイッチパッド１０４の底面カバー１０３から突出する高さｈ２とは、
ｈ２＞ｈ１
の関係を満たす。
【００１０】
ＬＥＤコースター１１０の正規の姿勢（状態）で、ＬＥＤコースター１１０をテーブル等に置くと、図１２に示すように、スイッチパッド１０４にＬＥＤコースター１１０の重量が加わり、基板のスイッチとスイッチパッド１０４との間の隙間（遊び）分だけスイッチパッド１０４はＬＥＤコースター１１０の内部に入り、スイッチパッド１０４は基板のスイッチに当接する。ＬＥＤコースター１１０は、ボタン電池側の二個のゴムパッド１０５とスイッチパッド１０４とがテーブル等に接触してテーブル等に載置される。このときの、スイッチパッド１０４の底面カバー１０３から突出する高さをｈ２’とすると、
ｈ２＞ｈ２’＞ｈ１
の関係を満たす。
【００１１】
スイッチパッド１０４が基板のスイッチに当接するだけでは、スイッチは動作しない。スイッチパッド１０４が基板のスイッチを押圧することにより、スイッチが動作してＬＥＤが点灯する。
【００１２】
次に、ＬＥＤコースター１１０の正規の姿勢（状態）で、ＬＥＤコースター１１０をテーブル等に置いた状態で、飲料の入ったコップ１０８等をＬＥＤコースター１１０上に置くと、スイッチパッド１０４はコップ１０８等の重量によりさらにＬＥＤコースター１１０内部に入り基板のスイッチを押圧することにより、スイッチが動作してＬＥＤが点灯する。
【００１３】
コップ１０８等の重量によるが、比較的コップ１０８等が軽い場合は、図１３に示すように、スイッチパッド１０４の底面カバー１０３から突出する高さｈ２”は、まだゴムパッド１０５の高さｈ１より高く、
ｈ２＞ｈ２’＞ｈ２”＞ｈ１
の関係を満たす。
【００１４】
この状態では、ボタン電池と反対側のスイッチパッド１０４は、テーブルから浮いている。そのため、ＬＥＤコースター１１０は不安定の状態にあり、ＬＥＤコースター１１０を利用する人によっては、不満を抱く場合がある。
【００１５】
コップ１０８等が重く、全部（三個）のゴムパッド１０５がテーブルに当接する場合は、ＬＥＤコースター１１０は安定する。
【００１６】
その他に、例えば、以下に示す照明装置付きコースターが提案されている。この照明装置付きコースターは、人がスイッチをオン、オフする煩わしさをなくすために、コップを載せる載置面を上面にもつ載置台がコイルバネにより上下動可能に支持されており、コイルバネの弾性力は載置面上に所定量以上の飲み物の入ったコップを載せた時に沈む強さに設定されている。支持台の上面にはプリント基板が固定され、プリント基板上にはＬＥＤとプッシュスイッチが取り付けられている。載置面上にコップが置かれ、コップ内に所定量以上の飲み物が入っている場合は、そのコップの重みで載置台が沈み、プッシュスイッチがオンとなってＬＥＤが点灯するというものである（例えば、特許文献１参照）。
【先行技術文献】
【特許文献】
【００１７】
【特許文献１】特開２００６−２０９２６号公報
【発明の概要】
【発明が解決しようとする課題】
【００１８】
図９乃至図１３に示した従来のＬＥＤコースター１１０は、比較的飲料の入ったコップ１０８等が軽い場合、ボタン電池と反対側のスイッチパッド１０４がテーブルから浮いているため、ＬＥＤコースター１１０は不安定の状態（ガタツキがある）にあり、ＬＥＤコースター１１０を利用する人によっては、不満を抱く場合がある。
【００１９】
この発明は、上記のよう課題を解決するためになされたもので、ＬＥＤコースターをテーブルに置き、ＬＥＤコースターの上に飲料の入ったコップ等を載せたときに、安定した状態でガタツキがないＬＥＤコースターを提供する。
【課題を解決するための手段】
【００２０】
この発明に係るＬＥＤコースターは、
上面に物品が置かれる透光性カバーと、
透光性カバーの下面に取り付けられる底面カバーと、
透光性カバーと底面カバーとの間に設けられ、透光性カバー側の部品面にＬＥＤが実装されるとともに、底面カバー側の半田面にＬＥＤをオン／オフするスイッチが実装される基板と、
底面カバーの電池収納部に収納され、ＬＥＤに電力を供給する電池と、
底面カバーの底面に取り付けられる二個のゴムパッドと、
底面カバーの内側に上下方向に移動可能に取り付けられ、スイッチに対向配置されるスイッチ押圧部を有するスイッチパッドと、を備え、
二個のゴムパッドとスイッチパッドとは、底面カバーの底面の外周付近に周方向に略等間隔に配置されるとともに、スイッチパッドの直径をＬＥＤコースターの直径の１／２弱としたことを特徴とする。
【００２１】
この発明に係るＬＥＤコースターは、基板に実装されるＬＥＤが、ＬＥＤコースターの略中央部に位置することを特徴とする。
【００２２】
この発明に係るＬＥＤコースターは、透光性カバーは、透光性カバーの略中央部と側面部とにＬＥＤの光が透光する透光部を備えることを特徴とする。
【００２３】
この発明に係るＬＥＤコースターは、スイッチパッドのスイッチ押圧部は、スイッチパッドの略中央部に配置されることを特徴とする。
【００２４】
この発明に係るＬＥＤコースターは、スイッチ押圧部を、十字形状としたことを特徴とする。
【００２５】
この発明に係るＬＥＤコースターは、ＬＥＤコースターをテーブル等に置かない状態のとき、スイッチパッドの底面カバーの底面から外側に突出する寸法をｄ１、ゴムパッドの底面カバーの底面から外側に突出する寸法をｄ２とすると、
ｄ１＞ｄ２
の関係を満たすことを特徴とする。
【００２６】
この発明に係るＬＥＤコースターは、二個のゴムパッドが、底面カバーの電池収納部を間に挟んで、略１２０°の間隔で配置されていることを特徴とする。
【００２７】
この発明に係るＬＥＤコースターは、底面カバーの電池収納部が、底面カバーの内側に凸形状となる凹部で形成され、電池収納部に電池を収納後、電池収納部は電池カバーで塞がれることを特徴とする。
【００２８】
この発明に係るＬＥＤコースターは、スイッチパッドが、底面カバーの裏面に立設している複数個のピンにスイッチパッドの突出部の孔が案内されてＬＥＤコースターの厚み方向に、移動可能なことを特徴とする。
【発明の効果】
【００２９】
この発明に係るＬＥＤコースターは、二個のゴムパッドとスイッチパッドとは、底面カバーの底面の外周付近に周方向に略等間隔に配置されるとともに、スイッチパッドの直径をＬＥＤコースターの直径の１／２弱としたことにより、ＬＥＤコースターをテーブルに置き、ＬＥＤコースターの上に飲料の入ったコップ等を載せたときに、安定した状態でガタツキがないＬＥＤコースターを提供することができる。
【図面の簡単な説明】
【００３０】
【図１】実施の形態１を示す図で、ＬＥＤコースター１０の上面図。
【図２】実施の形態１を示す図で、ＬＥＤコースター１の側面図。
【図３】実施の形態１を示す図で、ＬＥＤコースター１０の底面図。
【図４】実施の形態１を示す図で、ＬＥＤコースター１０を底面側から見た斜視図。
【図５】実施の形態１を示す図で、図３のＡ−Ａ断面図。
【図６】実施の形態１を示す図で、図３のＢ−Ｂ断面図。
【図７】実施の形態１を示す図で、透光性カバー１を外してＬＥＤコースター１０の内部を見た平面図。
【図８】実施の形態１を示す図で、透光性カバー１を外してＬＥＤコースター１０の内部を見た斜視図。
【図９】従来のＬＥＤコースター１１０の上面図。
【図１０】従来のＬＥＤコースター１１０の底面図。
【図１１】従来のＬＥＤコースター１１０の側面図。
【図１２】従来のＬＥＤコースター１１０をテーブル等に置いたときの側面図。
【図１３】従来のＬＥＤコースター１１０をテーブル等に置いて飲料を入れたコップを載せた状態を示す側面図。
【発明を実施するための形態】
【００３１】
実施の形態１．
図１乃至図８は実施の形態１を示す図で、図１はＬＥＤコースター１０の上面図、図２はＬＥＤコースター１０の側面図、図３はＬＥＤコースター１０の底面図、図４はＬＥＤコースター１０を底面側から見た斜視図、図５は図３のＡ−Ａ断面図、図６は図３のＢ−Ｂ断面図、図７は透光性カバー１を外してＬＥＤコースター１０の内部を見た平面図、図８は透光性カバー１を外してＬＥＤコースター１０の内部を見た斜視図である。
【００３２】
図１乃至図８を参照しながら、ＬＥＤコースター１０の構成を説明する。
【００３３】
図１に示すように、ＬＥＤコースター１０の上面（上部）は、従来のＬＥＤコースター１１０と同じである。即ち、ＬＥＤコースター１０は、上面（コップ等の物品が載る面）に円形でプラスチック製の透光性カバー１があり、透光性カバー１の上面外周部を覆う上面円周カバー２が設けられている。透光性カバー１は、全体が透明ではなく、上面の略中央部に透明な透光部１ａ、側面に透明な透光部１ｂ（図２参照）を形成している。この透光部１ａ，１ｂからＬＥＤ（発光ダイオード）の光が外部に透光する構成である。
【００３４】
ＬＥＤコースター１０の底面は、円形の底面カバー３で構成される。底面カバー３の底面の外周付近に、二個のゴムパッド５と、一個の直径が大きいスイッチパッド４とが設けられる（図３参照）。
【００３５】
本実施の形態のＬＥＤコースター１０は、従来のＬＥＤコースター１１０と比較すると、以下の点が異なる。
（１）従来のＬＥＤコースター１１０は、ゴムパッド１０５を三個使用していたが、本実施の形態のＬＥＤコースター１０は、ゴムパッド５を二個使用している。詳しくは、電池カバー６側（図３参照）の二個のゴムパッド５は、従来の二個のゴムパッド１０５と同じように設ける。
（２）電池カバー６側（図３参照）と反対側は、従来のＬＥＤコースター１１０ではゴムパッド１０５を一個使用していたが、本実施の形態のＬＥＤコースター１０は、ゴムパッド５の代わりにスイッチパッド４を使用する。
（３）円形のスイッチパッド４は、従来のスイッチパッド１０４のように直径が小さいものではなく、従来のものより直径を大きくしている。一例では、ＬＥＤコースター１０の直径が約９０ｍｍの場合、スイッチパッド４の直径は約４０ｍｍである。従来のスイッチパッド１０４の直径は７ｍｍ程度であった。
【００３６】
二個のゴムパッド５は、底面カバー３の底面の電池カバー６を間に挟んで、略１２０°の間隔で配置されている。
【００３７】
一個の直径が大きいスイッチパッド４は、底面カバー３の底面の電池カバー６の反対側の外周付近の底面カバー３の孔３ｅの内側に、二個のゴムパッド５の略中間（角度で略１２０°）位置に配置される。
【００３８】
ＬＥＤコースター１０がテーブル等に置かれた場合、底面カバー３の底面の外周付近に設けられる二個のゴムパッド５と、一個の直径が大きいスイッチパッド４との三点でテーブル等に支持されるので、ＬＥＤコースター１０の安定性がよく、ガタツクことがない。
【００３９】
従来のＬＥＤコースター１１０も、ＬＥＤコースター１１０が正規の姿勢（状態）で、ＬＥＤコースター１１０がテーブル等に置かれると、二個のゴムパッド１０５と、スイッチパッド１０４との三点でテーブル等に支持されるが、スイッチパッド１０４がＬＥＤコースター１１０の中央付近にあるため安定性に欠けていた。
【００４０】
図３、図４に示すように、長穴形状の電池カバー６は、ネジ７により底面カバー３の電池収納部３ａ（図６〜図８参照）に設けられるボス部３ｂ（図６参照）に固定される。
【００４１】
底面カバー３の電池収納部３ａは、底面カバー３の内側に凸形状となる凹部で形成される。
【００４２】
図２に示すように、スイッチパッド４は、底面カバー３の底面から寸法ｄ１だけ外側に突出している。一例では、ｄ１は１．３ｍｍ程度である。
【００４３】
図５に示すように、ゴムパッド５は、底面カバー３の底面から寸法ｄ２だけ外側に突出している。一例では、ｄ２は１．０ｍｍ程度である。
【００４４】
ＬＥＤコースター１０の内部の構成を、図５〜図８を参照しながら説明する。
【００４５】
長方形の基板４０には、その部品面にＬＥＤ２０が実装されている。基板４０は片面基板であり、一方の面が部品面で他方の面が半田面になる。ここでは、基板４０の部品面が透光性カバー１側で、基板４０の半田面が底面カバー３側になるように、基板４０は底面カバー３のボス部３ｃ（図６）にネジ９（図６）により固定される。
【００４６】
このとき、ＬＥＤ２０はＬＥＤコースター１０の略中央部に位置するように、基板４０のレイアウト及び基板４０と底面カバー３の位置関係が決められる。
【００４７】
基板４０の半田面には、ＬＥＤ２０のオン／オフを行うスイッチ３０（図６）が実装されている。スイッチ３０は、スイッチパッド４の略中央部に設けられるスイッチ押圧部４ａ（図６）に対向して配置される。
【００４８】
底面カバー３の電池収納部３ａの電池カバー６と反対側に設けられる一対の電池端子（図示せず）から引き出されるリード線５０が、基板４０の部品面から基板４０を貫通して半田面に半田付されている。
【００４９】
スイッチパッド４は、図６〜図８に示すように（一部が基板４０で隠れているが）、全体が略円形で、樹脂製の皿状のものである。皿は、外側に凸になっている。皿の底面が、スイッチパッド４がテーブル等に置かれるときの円形の載置面４ｃになっている。円形の載置面４ｃの外周縁部から側壁が立設し、側壁の内側端部から載置面４ｃに略平行に外側に環状のフランジ部４ｂが形成されている。環状のフランジ部４ｂの外周部に、外側に突出する略半円形の突出部４ｄ（図７）が周方向に略等間隔（９０°）に形成されている。四個の突出部４ｄには、図示しないが円形の孔が夫々開けられている。
【００５０】
底面カバー３の裏面に、スイッチパッド４の四個の突出部４ｄの円形の孔に対応して、ピン３ｄが立設している。スイッチパッド４の四個の突出部４ｄの円形の孔は、所定の隙間を有してピン３ｄに嵌合している。従って、スイッチパッド４は、底面カバー３のピン３ｄにより位置決めされ、且つＬＥＤコースター１０の厚み（上下）方向に、移動可能である。
【００５１】
スイッチパッド４の裏面（ＬＥＤコースター１０の内部側）の略中央部に、基板４０のスイッチ３０を押圧するスイッチ押圧部４ａ（図６）が形成されている。図示はしないが、スイッチ押圧部４ａの形状は、例えば、十字である。但し、スイッチ押圧部４ａの形状は、十字に限定されるものではなく、任意の形状でよい。
【００５２】
底面カバー３の電池収納部３ａの電池カバー６と反対側に設けられる一対の電池端子（図示せず、互いに独立している）が設けられることは既に述べたが、電池カバー６にも電池端子１２が取り付けられている。電池端子１２も、一対の端子を有し、それらは互いに連結（電気的に導通）している。
【００５３】
底面カバー３の電池収納部３ａの電池カバー６と反対側に設けられる一対の電池端子（図示せず、互いに独立している）及び電池カバー６の電池端子１２は、いずれも板ばねを使用している。
【００５４】
基板４０とボタン電池６０（電池の一例）との間の電気的な経路は、例えば、基板４０から引き出される一方のリード線５０→底面カバー３の電池収納部３ａの電池カバー６と反対側に設けられる一対の電池端子の一方→一つのボタン電池６０→電池カバー６の電池端子１２の一対の端子の一方→電池カバー６の電池端子１２の一対の端子の他方→他の一つのボタン電池６０→底面カバー３の電池収納部３ａの電池カバー６と反対側に設けられる一対の電池端子の他方→基板４０から引き出される他方のリード線５０となる。
【００５５】
スイッチパッド４について、更に詳しく説明する。スイッチパッド４は、一例では、ＬＥＤコースター１０の直径が約９０ｍｍの場合、スイッチパッド４の直径は約４０ｍｍである。スイッチパッド４の直径は、ＬＥＤコースター１０の直径の略１／２弱である。
【００５６】
スイッチパッド４と二個のゴムパッド５とが、底面カバー３の底面の外周付近に周方向に略等間隔に配置される。二個のゴムパッド５は、底面カバー３の底面に固定されているが、スイッチパッド４は、底面カバー３の裏面に立設している四個のピン３ｄにスイッチパッド４の四個の突出部４ｄの円形の孔が案内されてＬＥＤコースター１０の厚み（上下）方向に、移動可能である。
【００５７】
原則として、スイッチパッド４のスイッチ３０を押圧するスイッチ押圧部４ａ（図６）は、スイッチパッド４の略中央部に設けられる。
【００５８】
ＬＥＤコースター１０がテーブル等に置かれ、さらにＬＥＤコースター１０の上に飲料が入ったグラス等が置かれると、グラスの重量は、スイッチパッド４と二個のゴムパッド５とに分散してテーブル等に支持される。
【００５９】
スイッチパッド４のスイッチ押圧部４ａのＬＥＤコースター１０の中心からの距離Ｌ１（図３、図６）は、ＬＥＤコースター１０の直径が約９０ｍｍの場合、一例では約１９ｍｍである。
【００６０】
これに対して、二個のゴムパッド５のＬＥＤコースター１０の中心からの距離は、ＬＥＤコースター１０の直径が約９０ｍｍの場合、一例では約３６ｍｍである。また、二個のゴムパッド５間の距離は、約６２ｍｍである。
【００６１】
スイッチパッド４と二個のゴムパッド５とは、このような位置関係にあるので、グラスの重量はスイッチパッド４と二個のゴムパッド５とに分散してテーブル等に支持されるが、主にスイッチパッド４にグラスの重量が加わりスイッチパッド４のスイッチ押圧部４ａがスイッチ３０を押圧してＬＥＤ２０を点灯させる。
【００６２】
一例では、ＬＥＤコースター１０の直径が約９０ｍｍの場合、スイッチパッド４の直径は約４０ｍｍであるが、スイッチパッド４の直径をこれより小さくして、例えば従来のスイッチパッド１０４の直径と同じ（７ｍｍ程度）にして、スイッチパッド４を底面カバー３の底面の外周付近に配置する場合を想定する。この場合は、スイッチパッド４と二個のゴムパッド５とに、グラス等の重量が略均等に分散して加わる。その結果、スイッチパッド４の直径が約４０ｍｍのときに比べてスイッチパッド４に加わる重量が減少して、スイッチ３０が動作しない恐れがある。
【００６３】
また、スイッチパッド４の直径は約４０ｍｍであるが、スイッチパッド４の直径をこれより小さくして、例えば従来のスイッチパッド１０４の直径と同じ（７ｍｍ程度）にして、スイッチパッド４を底面カバー３の底面の中央付近に配置する場合を想定する。この場合は、グラス等の重量は主にスイッチパッド４に加わり、スイッチ３０は動作するが、二個のゴムパッド５と反対側にずれてグラス等がＬＥＤコースター１０の上に置かれた場合、二個のゴムパッド５と反対側にはＬＥＤコースター１０を支持するものがないためグラス等が傾く恐れがある。
【００６４】
従って、スイッチパッド４の位置は、底面カバー３の底面の外周付近にあるのが好ましく、且つスイッチパッド４のスイッチ押圧部４ａの位置を底面カバー３の底面の中央付近にするためにスイッチパッド４の直径をできるだけ大きくするのが好ましい。
【００６５】
ＬＥＤコースター１０は、外形が円形のものを説明したが、外形は円形に限定されない。任意の形状のものでよい。
【００６６】
以上のように、底面カバー３の底面の外周付近に配置されるスイッチパッド４と二個のゴムパッド５との三点でＬＥＤコースター１０がテーブル等で支持されるようにするとともに、スイッチ押圧部４ａを略中心部に有するスイッチパッド４の直径をＬＥＤコースター１０の直径の略１／２弱とすることにより、ＬＥＤコースター１０に飲料の入ったグラス等が置かれた場合に確実にスイッチパッド４のスイッチ押圧部４ａが、スイッチ３０を押圧してスイッチ３０をオンとし、且つＬＥＤコースター１０がガタツクことなく、飲料の入ったグラス等をＬＥＤコースター１０を載置することができる。
【符号の説明】
【００６７】
１  透光性カバー、１ａ  透光部、１ｂ  透光部、２  上面円周カバー、３  底面カバー、３ａ  電池収納部、３ｂ  ボス部、３ｃ  ボス部、３ｄ  ピン、３ｅ  孔、４  スイッチパッド、４ａ  スイッチ押圧部、４ｂ  フランジ部、４ｃ  載置面、４ｄ  突出部、５  ゴムパッド、６  電池カバー、７  ネジ、９  ネジ、１０  ＬＥＤコースター、１２  電池端子、２０  ＬＥＤ、３０  スイッチ、４０  基板、５０  リード線、６０  ボタン電池、１０１  透光性カバー、１０１ａ  透光部、１０１ｂ  透光部、１０２  上面円周カバー、１０３  底面カバー、１０４  スイッチパッド、１０５  ゴムパッド、１０６  電池カバー、１０７  ネジ、１０８  コップ、１１０  ＬＥＤコースター。
【図１】
2010284345.tif 000003
【図２】
2010284345.tif 000004
【図３】
2010284345.tif 000005
【図４】
2010284345.tif 000006
【図５】
2010284345.tif 000007
【図６】
2010284345.tif 000008
【図７】
2010284345.tif 000009
【図８】
2010284345.tif 000010
【図９】
2010284345.tif 000011
【図１０】
2010284345.tif 000012
【図１１】
2010284345.tif 000013
【図１２】
2010284345.tif 000014
【図１３】
2010284345.tif 000015